(57)【特許請求の範囲】
【請求項１】
マイクロ波を導入する偏平な矩形状導波管の筐体面の一部に、マイクロ波の進行方向に沿って縦長の開口部を設け、この開口部に誘電体で構成したプラズマ放電管をその放電管の外壁の一部が導波管の内部に入り込むように装着し、この放電管内へプラズマ生成用ガスを連続的に導入することによって、放電管内で前記ガスをプラズマ状態に励起し、このプラズマから発生したエネルギーを前記放電管の導波管外へ露出した部分からとりだすように構成したことを特徴とするマイクロ波ラインプラズマ発生装置。
【請求項２】
前記導波管の縦長開口部を導波管の偏平面側の筐体面（Ｈ面）に設け、この縦長開口部に沿ってプラズマ放電管をその外壁の一部が導波管内へ入り込むように装着したことを特徴とする請求項１に記載のマイクロ波ラインプラズマ発生装置。
【請求項３】
プラズマ放電管の前記導波管から露出した部分の管壁部に、プラズマ放電管の長さ方向に沿って縦長の開口を設け、この縦長開口からプラズマ放電管内で発生したプラズマをプラズマ処理室へ取り出すように構成したことを特徴とする請求項１または２に記載のマイクロ波ラインプラズマ発生装置。
【請求項４】
プラズマ放電管内へ、プラズマ生成用ガスと反応ガスとを同時に導入し、プラズマ放電管内で発生したプラズマを前記縦長開口からプラズマ処理室へ取り出すように構成したことを特徴とする請求項３に記載のマイクロ波ラインプラズマ発生装置。
【請求項５】
前記プラズマ放電管の外側近辺に、プラズマ処理のための反応ガス放出口Gを併設し、放電管から放射されたプラズマによって前記反応ガスをプラズマ状態に励起するように構成したことを特徴とする請求項１ないし３の何れかに記載のマイクロ波ラインプラズマ発生装置。
【請求項６】
導波管内における、プラズマ放電管と導波管内面との間に形成される導波路が狭窄された空間部分ｋに、この狭窄部の電界強度を調整するための導電体９、９aを設けたことを特徴とする請求項１ないし５の何れかに記載のマイクロ波ラインプラズマ発生装置。
【請求項７】
前記導電体と前記プラズマ放電管との関係位置を調整する手段１１を併せ備えたことを特徴とする請求項６に記載のマイクロ波ラインプラズマ発生装置。
【請求項８】
前記プラズマ放電管と導波管内面との間の狭窄された空間部に設けた電界強度調整用導電体を、導波管の縦軸方向に沿って複数個設け、この導電体とプラズマ放電管外面との関係位置を導波管外部から調整する手段１１を併せ設けることにより、導波管の縦軸方向に沿った電界強度分布を均整化できるようにしたことを特徴とする請求項１ないし７の何れかに記載のマイクロ波ラインプラズマ発生装置。
【発明の詳細な説明】
【技術分野】
【０００１】
この発明は、半導体プロセスにおけるエッチングやクリーニング処理、有機フイルムのＣＶＤ処理、親水性加工、食品などの殺菌・滅菌処理などに使用されるプラズマを、大気圧など比較的低圧条件で簡単に発生させるためのマイクロ波プラズマ発生装置に関するもので、特に大型の液晶パネルや長尺のフイルムなど広い面積をもつ構造物のプラズマ処理に適するようなライン状のプラズマ発生装置を提供する。
【背景技術】
【０００２】
従来この種マイクロ波を利用するラインプラズマ発生装置は、通常矩形状のマイクロ波導波管内を進行するマイクロ波の伝播エネルギーによってガスを励起し、このガスをプラズマ化するものであるが、矩形状導波管の縦方向（矩形の長さ方向）にマイクロ波が進行した場合、この進行方向に直角な方向（矩形の巾方向）のプラズマ生成電界強度が強くなることが知られている。
また導波管内のマイクロ波の伝播波長を長くするほど導波管の縦方向におけるプラズマ化に寄与する電磁波エネルギーの効率が高くなることも知られているが、このマイクロ波の導波管内波長は導波管の横幅長さを狭くすると長くできる。通常使用されるマイクロ波（波長２．４５ＧＨ）の場合、導波管の巾（横の長さ）を６１ｍｍから６２ｍｍにしたとき管内伝播波長が一番長くなりプラズマ励起効率が最大になる。即ちプラズマ生成用ガスを充満したプラズマ放電管を導波管に対して横方向に配置することによって横方向に強力なライン状のプラズマを発生させることができるが、前記したように導波管の巾は６１〜６２ｍｍ程度に限定されるので、これ以上長いライン状のプラズマは得られない。
そこで本発明者等は、偏平な方形導波管の側壁部にこの導波管の縦方向（マイクロ波の伝播方向）に沿ってスリットを設け、このスリットの方向に沿って導波管の外に縦長のプラズマ放電管を近接配置し、スリットから放射される長波長マイクロ波電磁エネルギーによって放電管内のガスを励起し、放電管から縦方向にライン状のプラズマを発生させる装置を提案した（特許文献１）。これにより導波管の横幅は前記によって制限されても縦長さは自由に長くできるので、放電管から発生するプラズマのライン長さは十分長くとれるようになり、広い面積の構造物をより効率良くプラズマ処理できるようになった。
【特許文献１】特願２００４−１５９２８０
【発明の開示】
【発明が解決しようとする課題】
【０００３】
本発明は、前記本発明者等の発明を更に改良発展させ、より強力なラインプラズマを発生できるようにするとともに、コンパクトで簡単に持ち運びできる汎用的なプラズマ発生源を提供するものである。
【課題を解決するための手段】
【０００４】
上記課題を解決するために本発明は、プラズマ発生用の放電管と矩形状のマイクロ波導波管との新規な一体型結合構成を提供したもので、マイクロ波を導入する偏平な矩形状導波管の筐体面の一部に、マイクロ波の進行方向に沿って縦長の開口部を設け、この縦長開口部に誘電体で構成したプラズマ放電管をその放電管の外壁の一部が導波管の内部に入り込むように装着し、この放電管内へプラズマ生成用ガスを連続的に導入することによって、放電管内で発生したプラズマのエネルギーを前記放電管の導波管から露出した部分からとりだすように構成したことを特徴とするマイクロ波ラインプラズマ発生装置である。
【０００５】
好ましい発明態様としては、プラズマ放電管にその長さ方向に沿って縦長の開口を設け、プラズマ放電管内で発生したプラズマをこの縦長開口から直接プラズマ処理チェンバーへ取り出す構成を提供する。
【０００６】
また、別の発明態様として、導波管内へ進入させたプラズマ放電管内へプラズマ生成用ガスと被加工物処理用の反応ガスとを共に導入し、双方のガスを同時にプラズマ化して利用する装置を提供する。
【０００７】
さらに、本発明実施態様では、導波管内の縦方向電界強度分布を放電管の長軸方向に沿って均一となるように調整する手段を提供するもので、発生するプラズマ強度のライン方向のバラツキを容易に調整でき、長さ方向に均一な安定したライン状プラズマが得られるものである。
［用語の定義］
本明細書において、プラズマ放電管とは、石英やガラス、セラミックスなどの誘電体で構成した管状または縦長の筐体を意味し、断面円形、楕円形、方形または多角形の筐体を言う。
プラズマ生成用ガスとは、ヘリウム、アルゴン、キセノン、クリプトン、フッ素、窒素、水素の少なくとも一つを含んだガスであって、マイクロ波の電磁エネルギーの作用によりプラズマが生じ易いガスをいう。
【発明の効果】
【０００８】
本発明によれば、放電管内のプラズマ生成用ガスに、導波管内を伝播するマイクロ波電磁エネルギーを直接関与させるので、プラズマ化効率が高まりより強力なプラズマを導波管の縦方向に沿ってライン状に発生させることができるとともに、導波管とプラズマ放電管とを一体的にコンパクトに構成したので持ち運びも簡単となり汎用性の高いプラズマ発生源が提供できた。
更に導波管内の、放電管内ガスのプラズマ化に直接関係する空間導波路部の電界強度分布を、管の縦方向に沿って調整する手段を提供したので、導波管や放電管の縦方向加工歪に基づくプラズマラインの強度のバラツキも容易に調整することが可能となり、長さ方向に均一な安定したプラズマを発生させることができる。
【発明を実施するための最良の形態】
【０００９】
以下本発明の実施例を図面に基づいて説明する。
図１は、本発明マイクロ波発生装置の基本構成を示す図で、マイクロ波導波管１はアルミや真鍮などの導体で構成され、縦長さｙ横幅ａ厚さｂの偏平な矩形状の空洞型導波管で、矢印ＭＷの方向からマイクロ波が導入され管内を縦方向に進行する。２はこの導波管の偏平平面（Ｈ面）に設けられた縦長の開口部で、この開口部にプラズマ放電管３がその一部が導波管１内へ入り込んだ状態で装填される。この放電管内には図示を省略したが矢印Ginの方向からヘリウム・アルゴンなどを含むプラズマ生成用ガスが導入され、矢印Goutの方向へ導出され常時ガスが流動する。４はこの放電管の露出している部分に設けられた縦長の開口で、放電管内へ導入されたガスは導波管内を縦方向に伝播するマイクロ波の電磁エネルギーによって励起され、プラズマ状態となって前記開口４から導波管の縦方向に沿ってライン状に管外の処理室へ放出される。
【００１０】
図において、導波管１へ導入されるマイクロ波の波長をλoとしたとき、導波管内を伝播するマイクロ波の波長λgは、前記本発明者等の特許願２００４−１５９２８０に記載したように、次式を満足するように選定し、λgがプラズマのライン長さｙ’より長くなるように導波管の幅aを選定するのが望ましい。
【数１】
0004134077.tif 000002
εは誘電率、μは透磁率である。（ｒは、真空の値に対しての比を表す。たとえば、εr、μrは、それぞれ比誘電率と比透磁率を表す。）          
【００１１】
一般的に使われる周波数２．４５ＧＨｚ、波長１２０ｍｍのマイクロ波をこの導波管に送り込む場合は、上式によれば導波管幅aを６１．３ｍｍに選定したとき導波管内のマイクロ波の波長λgは２４６７ｍｍとなり、縦軸方向に十分長い波長のマイクロ波を走らせることができる。即ち縦軸方向yに沿って長いラインプラズマを発生させるのに有効である。
【００１２】
図２は、図１の基本構成の側面図で、導波管１内へのマイクロ波の誘導部および発生したプラズマガスによって液晶基板などの被処理物Ｓを処理するためのプラズマ処理室Ｔとの関係を示した図である。
【００１３】
偏平な矩形型導波管１のＨ面に設けた縦長開口部に、プラズマ放電管３が図のようにその一部が導波管の内側へ食い込むように装填され、導波管内を伝播するマイクロ波電磁エネルギーによってプラズマ状態となったガスが点線矢印ｐｇに示すように処理室Ｔへ放射される。Ｇは被処理物体Ｓへ反応ガスを供給するための反応ガス供給ノズルである。処理室Ｔへ放射されたプラズマｐｇはさらに前記反応ガスのプラズマ化を促し、被処理物体Ｓの広い部分を一挙にプラズマ加工できる。
【００１４】
尚図において５はマイクロ波発生源、６はマイクロ波誘導管、７は電磁波の反射部で反射波の波長を調整するための可動反射板８を備えている。この反射板８はプランジャー式になっており、位置を左右に調整することにより導波管内を進行するマイクロ波波長λgを微調整することができ、これによりプラズマ発生強度を長さ方向全体に亘って均一になるように調整できる。Ｇin、Ｇoutは図１と同様放電管へのプラズマ生成用ガスの導入・導出配管系である。
【００１５】
図３は、図１の基本構成装置における導波管１の断面図で、マイクロ波の進行方向と直角な断面を示し、（ａ）（ｂ）（ｃ）（ｄ）はプラズマ放電管３と導波管１との結合装填の態様を異ならしめた実施例である。
【００１６】
図３（ａ）は、プラズマ放電管３の直径の約１／３を導波管内へ入り込ませた実施例で、マイクロ波エネルギーは紙面に対して垂直方向に放電管の周辺を通って伝播する。本発明者等の実験によれば放電管の下面付近ｋ部分の電界強度が強いほどプラズマ発生効率が高まることを見出したので、この部分の導波管内ギャップ（ｋの間隙）をマイクロ波の伝播に支障を生じない程度に小さくした。即ち導波管内部の厚みｂ１は必要にして十分なｋになるように設計する。
図３（ｂ）は、導波管のＨ面のスリット幅を若干大きくしてプラズマ放電管をその直径の約半分程度導波管内へ入り込ませた実施例で、導波管の厚みｂ２はｂ１より若干厚くなるが、プラズマ発生の動作は図３(ａ)と同様である。
【００１７】
図３（ｃ）は、プラズマ放電管を角形の誘電体製筐体３’としこれを導波管１内へ食い込ませた実施例で、プラズマ発生の動作は（ａ）（ｂ）と何ら変わらない。
【００１８】
図３（ｄ）は、導波管の側壁面１ｂにプラズマ放電管３を装填した実施例で、プラズマ放射方向を側方にとり出す必要がある場合に適用できる例である。
【００１９】
図４は、導波管内のマイクロ波伝播条件の関係で、導波管の厚みｂ’を小さくできない場合にギャップｋを狭めてプラズマ発生効率を高めるように設計した実施例で、プラズマ発生の動作は図３の（ａ）の場合と変わらない。尚図はプラズマ処理室Tを導波管１の上部に直接配置した場合で、Ｇは反応ガス供給ノズル部である。
【００２０】
以上図３、図４の実施例では導波管の上壁面（Ｈ面）または側壁面にプラズマ放電管を装着した例を示したが、放電管は導波管の下面に装着してもよいことは当然である。また放電管にガス放射のための開口を設けないで、放電管内で発生したプラズマの光エネルギー（紫外線など）を処理室へとり出すようにしても良い。この場合は放電管の管壁は透光性の高い誘電体（石英ガラスなど）とするのが望ましい。
【００２１】
図５は、図３の実施例をさらに発展させた例で、導波管１の上壁面１aと下壁面１ｃに同時にプラズマ放電管３、３’を装填した実施例である。導波管へ入力するマイクロ波を十分強力なものとし、ギャップｋの電界強度が充分強くなるように設計することにより、上下両方向に同時にプラズマを発生させることができる。尚この例では、双方の放電管には開口を設けないで、光透過性の良い誘電体で構成し管内で発生したプラズマによる光ｐｆを直接プラズマ処理室で利用できるようにしたものである。
【００２２】
次に図６は、プラズマ生成用ガスを収容したプラズマ放電管３を、導波管１の縦長開口部２に若干の間隙２’を介して収容した例である。
図のように放電管３を導波管１の開口部２に気密的に装着しなくても、放電管の下面と導波管の内面とのギャップｋ部分の電界強度を最適条件に設定することにより放電管内でライン状にプラズマを発生させることができ、図のｐｇに示すようにプラズマは開口４から上方向に放出される。勿論この実施例においても放電管の開口を封鎖し光エネルギーとしてプラズマを利用することも可能である。
【００２３】
図７は、導波管の厚みｂをある程度厚くした状態で、プラズマ放電管の下面の導波路空間ギャップｋを実質的に狭くし、この部分の電界強度を強くする手段を設けた実施例である。即ち導波管１の下壁面の内側に第２の導電体の壁板９を取り付け、この壁板の中央部付近（放電管の下面に対向する部分）９aを図に示すように内側へ凹ませることにより、マイクロ波の伝播容積を充分大きく確保しつつギャップｋの部分の電界密度即ち電界強度を高めたものである。これにより放電管内のガスにはマイクロ波の電磁波エネルギーが強く作用し、密度の高いプラズマを発生させることができる。
【００２４】
尚１０は放電管下面の狭隘部空間（ギャップ部ｋ）に設けられた導電性ブラシで、このブラシ１０の上下位置をねじ機構１１によって導波管外から矢印方向に調整することにより、ギャップｋ部の電界強度を微調整する。このブラシ機構を紙面に垂直方向即ち放電管の長手方向（図２、y’の方向）に沿って複数個設けておくことにより、放電管から発生するプラズマのライン方向の強度の不均一性を調整することができる。
【００２５】
例えば導波管の内壁面の加工精度が長さ方向にバラツキがあったり、プラズマ放電管の直径や管の材質が長さ方向で不同があれば、マイクロ波によるプラズマ励起の程度が長さ方向で変わるので、発生するプラズマの強度もラインに沿って不均一になる。例えば放電管から発生するプラズマの強度が管の両端付近で弱い場合は、放電管の両端付近の下方ギャップ部にある導電ブラシを放電管に近づけるように調整すれば、この部分の電界強度が強くなり、発生するラインプラズマの強度を軸方向に全体的に均一化できる。
【００２６】
次に、図８は本発明の他の実施例を示すもので、プラズマ放電管３３内へプラズマ生成用ガスと反応ガスとを共に導入し、放電管内で双方のガスを略同時にプラズマ状態に励起する例である。
【００２７】
放電管３３は石英やセラミックなどの誘電体で構成され、図に示すように断面逆Ｕ字形で、例えば長さｙ’が８００ｍｍないし１０００ｍｍの縦長のものである（Ｕ字型側溝ブロックのような形状）。Ｂは導波管１１を支持する支持ブロックで、放電管３３へガスを供給するガス導入路Ｇ１、Ｇ２が左右に設けられている。
【００２８】
Ｇ１はＨｅ、Ａｒなどのプラズマ生成用ガス導入路、Ｇ２はエッチングガスなど被加工物のプラズマ処理に使用する反応ガスの導入路、Ｗはプラズマによる放電管の発生熱を冷却するための冷却液還流路である。この冷却液還流路は放電管内のプラズマ熱によって導波管１１や放電管３３その支持ブロックＢが高温になるのを回避するためで、必要に応じて導波管と管路Ｇ１の間や放電管の側部にも設けてもよい。
【００２９】
逆Ｕ字形放電管３３は、その頭部３３’が図に示すように導波管１１の内部に入り込んだ状態でブロックＢに保持され、下方にプラズマ放射のための開口４が設けられている。１２は導波管の内壁を膨らませた部分（導電体）で、図７の９aと同様にk部分の電界強度を高めるための内壁部である。尚Ｓ１、Ｓ２はガス拡散用バッフルプレートで、その作用は図１０で詳述する。
【００３０】
図でも判るように、導波管に近い方の管路Ｇ１からＨｅ、Ａｒなどの放電し易く堆積やエッチングをしないガス即ちプラズマ生成用ガスを導入することによりプラズマ発生を促進し、放電し難い反応性ガスを開口４に近い方から導入することにより、反応ガスによるプラズマ励起部（頭の部分）付近における誘電体表面の反応（エッチング作用による削り込み現象など）や変質を防ぎプラズマ放電管を保護することができ、安定した放電の維持が可能となる。
【００３１】
図９は、図８のＩ−Ｉ’断面図で、導波管１１の縦長さyが厚さｂに比して長いので左側の図は一部省略した。ガス導入路Ｇ１、Ｇ２は導波管の支持ブロックＢ内において放電管３３の側面に向かってその長手軸に沿って等間隔に複数数本設けられ、ここからガスが放電管内へ導入される。他の符号は図８と同一部材を示す。図では導波管１１へのマイクロ波の導入部は省略したが、図の左の方向から印加される。
【００３２】
図１０は図８のII−II’断面図で図９と同様左側の断面は一部省略した。
図の３３’’はプラズマ放電管３３へのガス導入用開口部で、放電管の側部に長手方向にスリット状に設けられるものであるが、このスリットは放電管の両側面に沿って縦長に形成されるので、管の機械的強度を保持するために巣孔状の開口列となっている。またガス導入路Ｇ１は放電管へのガス導入部近辺で図Ｇ１’に示すように広がり部が設けられており、Ｇ１から導入されたガスはここで放電管の長さ方向に拡散されて放電管内へ導入される。Ｓ１、Ｓ２は前記ガス導入路Ｇ１、Ｇ２の広がり部Ｇ１’に配置されたバッフルプレート即ち多数の孔を設けたガス拡散板で、管路Ｇ１、Ｇ２から導入されたガスの流れを放電管の縦軸方向に広げて放電管内へ誘導する。
【００３３】
本発明では導波管の長手方向に均一なプラズマを発生させるのが目的であるので、ガスの流れもできるだけ均一にすることが重要である。そのために本実施例ではプラズマ生成用ガスも反応ガスも放電管の側方から長手方向に沿って均一に導入されるように、バッフルプレートＳ１、Ｓ２を通してガスを長手方向に拡散させた状態で放電管に均一に導入する。このようにすることにより、プラズマ反応によって生成されるラジカルも均一にすることができ、長手方向に安定した均一なプラズマが得られる。他の符号は図８、９と同じ部材を示す。
【００３４】
以上の実施例では、Ｇ１にプラズマ生成用ガス、Ｇ２に反応ガスを分離して導入する場合について説明したが、双方のガスを混合した状態で両導入路から同時に入れてもよく、このようにすればプラズマ放電管内でのガスの混合もよくなりプラズマの安定化に貢献できる。さらにガス導入路をＧ１、Ｇ２以外に３層４層に設け、各管路にそれぞれ別種類の反応ガスを個別に導入するようにしてもよい。
【００３５】
また半導体や液晶パネルの表面クリーニング処理や食品の殺菌処理など特に反応ガスを使用しない場合には、Ｇ１、Ｇ２双方にＨｅなどのプラズマ生成用ガスを入れるか又は一方の反応ガス導入管路を封鎖してもよい。
【００３６】
また実施例においてはマイクロ波導波管及びプラズマ放電管を略大気圧付近で作動させるものであるので、導波管と放電管との装着部やプラズマ取り出し用の開口部付近の気密シールは不要であり、従来の真空プラズマ発生装置のような複雑な気蜜機構や取扱いの不便さは全くない。
【００３７】
尚、本発明に用いる導波管にはマイクロ波を管内へ誘導管などを介して導入するものであるが、必要に応じてこれに高周波コイルなどを付設して高周波電力を付加的に与え、導波管内の電磁波エネルギーを強めるようにしても良い。
【００３８】
これら実施例においてもプラズマ放電管の開口を誘電体で封鎖し、管内のプラズマの光（紫外光など）だけを利用し得ることも当然である。
【産業上の利用可能性】
【００３９】
本発明のラインプラズマ発生装置は、矩形型導波管の縦軸方向に沿って安定したライン状のプラズマを発生させることができるので、広い面積をもつ被処理物体に対しても短時間に効率的にプラズマ処理や加工が可能となる。
更に大気圧状態で利用でき且つ、プラズマ放電管とマイクロ波導波管とが一体的にコンパクトに結合装填された可搬型のプラズマ発生装置が得られるので、ホテルやレストラン、コンビニなどの食品調理場における滅菌・消毒用として手軽に利用でき、汎用性も広がるなど産業上の有用性は極めて大きい。
【図面の簡単な説明】
【００４０】
【図１】本発明のマイクロ波発生装置の基本概念を示す斜視図である。
【図２】図１の基本概念に基づいて構成した本発明実施例のマイクロ波発生装置の動作説明用側面図である。
【図３】図２の実施例の導波管部を紙面と直角方向からみた断面図で、（ａ）（ｂ）（ｃ）（ｄ）は、導波管とプラズマ放電管との結合装填の態様の各種の例を示すものである。
【図４】図２と同様の断面図で、プラズマ放電管と導波管との結合機構の別の態様を示す実施例図である。
【図５】図２と同様の断面図で、開口を有しないプラズマ放電管を導波管の上下に２個装着した場合の実施例である。
【図６】本発明の他の実施例で、図２と同様な断面図である。
【図７】本発明の前記各実施例に適用できるマイクロ波導波路の電界強度を調整する機構の実施例である。
【図８】本発明の他の実施例を示す側断面図である。
【図９】図８の実施例のＩ−Ｉ’面で切断した図面である。
【図１０】図８の実施例のII−II’面の切断面図である。
【符号の説明】
【００４１】
１、１１  マイクロ波導波管
２        導波管の壁面に設けた縦長開口部
３、３３  プラズマ放電管
４        プラズマ放電管に設けられた縦長の開口
５        マイクロ波発生源
６        マイクロ波誘導管
７        マイクロ波反射部
８        可動反射板
９        導波管内の電界強度調整用第２の壁板（導電体）
１０      導体ブラシ
１１      ねじ機構
１２      導波管内面の凸部（導電体）
Ｔ        プラズマ処理室
Ｚ        被処理物体
Ｇ        反応室内への反応ガス供給ノズル
Ｂ        導波管支持ブロック
Ｇ１、Ｇ２  プラズマ放電管へのガス導入路
Ｗ        冷却液還流路
Ｓ１，Ｓ２  ガス拡散部材
【図１】
0004134077.tif 000003
【図２】
0004134077.tif 000004
【図３】
0004134077.tif 000005
【図４】
0004134077.tif 000006
【図５】
0004134077.tif 000007
【図６】
0004134077.tif 000008
【図７】
0004134077.tif 000009
【図８】
0004134077.tif 000010
【図９】
0004134077.tif 000011
【図１０】
0004134077.tif 000012